(57)【特許請求の範囲】
【請求項１】
下ケースと、下ケースに固定される上ケースと、上ケースに形成された開口部と、上ケースの裏側で開口部の外周に沿って形成されたシール用溝と、前記開口部の対向する面の下部に形成された一対の係止溝と、前記開口部に配設され、押圧部を有する押しボタンと、前記押圧部の外周に沿って形成され、前記シール用溝と嵌合されるシール用突部とを備えたことを特徴とする携帯型無線送信機。
【請求項２】
下ケースと、下ケースに固定される上ケースと、上ケースに形成された開口部と、上ケースの裏側で開口部の外周に沿って形成されたシール用溝と、前記開口部の対向する面の下部に形成された一対の係止溝と、前記開口部に配設され、押圧部を有する押しボタンと、前記押圧部の外周に沿って形成され、前記シール用溝と嵌合されるシール用突部と、前記開口部に固定され、フレームを有するカバーと、前記フレーム内に設けられた押圧部と、前記フレームの裏面に延設され、上ケースの前記係止溝に係止される係止爪とを備えたことを特徴とする携帯型無線送信機。
【発明の詳細な説明】
【０００１】
【発明の属する技術分野】
本発明は、異常が発生したときに押しボタンスイッチを押すことによって、所定のデータを無線送信する携帯型無線送信機に関する。
【０００２】
【従来の技術】
従来、異常が発生したときに押しボタンスイッチを押すことによって、所定のデータを無線送信する携帯型無線送信機が知られている。このような携帯型無線送信機は、種々の用途に用いられているが、例えば、警備員が夜間にビルを巡回する場合に用いられる。すなわち、夜間にビルを巡回する場合に携帯型無線送信機を携行し、異常を発見したときに携帯型無線送信機の押しボタンスイッチを押すのである。これにより、携帯型無線送信機から無線送信されたデータは、当該ビル内の各所に設置されている受信機で受信され、その受信信号が警備センター等に通報されることによって、どの箇所で異常が発生したかを知ることができるようになされている。
【０００３】
図７および図８は、特開２０００−２２４０５５に示されている携帯型無線送信機の２例を示す斜視図である。
【０００４】
図７の携帯型無線送信機１は、下ケース２に上ケース３が固着されており、上ケース３には矩形状の窪み部３ａが形成され、この窪み部３ａの開口部に押しボタンスイッチの押しボタン４が突出するように設けられている。
【０００５】
図８の携帯型無線送信機５は、押しボタン４を覆うようにカバー６が窪み部３ａに取り付けられている。このカバー６は、ある一定以上の力が加えられた場合に破れる程度の強度の樹脂材料から形成され、誤って押しボタン４が押されてしまうという誤操作を防止するようにしている。
【０００６】
【発明が解決しようとする課題】
ところで、図７または図８の携帯型無線送信機を製造する場合、上下のケース２、３を共用することができれば、金型に要するコストを低減することができ、また、製造ラインを簡素化することができる。
【０００７】
しかしながら、図８の携帯型無線送信機５の上ケース３は、図示はしていないが、窪み部３ａに係止孔を、カバー６に係止片を形成し、この係止孔に係止片を係止することによりカバー６を上ケース３に固定する構造になっている。そのために、図８の上ケースを図７の上ケースに共用したとすると、係止孔が露出してしまうことになり、送信機内部にゴミ等が侵入してしまうという問題や、外観意匠上の問題を有している。
【０００８】
本発明は、上記従来の問題を解決するものであって、携帯型無線送信機において、押しボタンのカバーの有無にかかわらず、ケースを共用化することができ、かつ、ゴミ等の侵入や外観意匠上の問題を解決することができる携帯型無線送信機を提供することを目的とする。
【０００９】
【課題を解決するための手段】
上記の目的を達成するために、本発明の請求項１記載の携帯型無線送信機は、下ケースと、下ケースに固定される上ケースと、上ケースに形成された開口部と、上ケースの裏側で開口部の外周に沿って形成されたシール用溝と、前記開口部の対向する面の下部に形成された一対の係止溝と、前記開口部に配設され、押圧部を有する押しボタンと、前記押圧部の外周に沿って形成され、前記シール用溝と嵌合されるシール用突部とを備えたことを特徴とし、
また、請求項２記載の携帯型無線送信機は、下ケースと、下ケースに固定される上ケースと、上ケースに形成された開口部と、上ケースの裏側で開口部の外周に沿って形成されたシール用溝と、前記開口部の対向する面の下部に形成された一対の係止溝と、前記開口部に配設され、押圧部を有する押しボタンと、前記押圧部の外周に沿って形成され、前記シール用溝と嵌合されるシール用突部と、前記開口部に固定され、フレームを有するカバーと、前記フレーム内に設けられた押圧部と、前記フレームの裏面に延設され、前記上ケースの係止溝に係止される係止爪とを備えたことを特徴とする。
【００１０】
【発明の実施の形態】
以下、図面を参照しつつ本発明の実施の形態について説明する。図１〜図６は、本発明の携帯型無線送信機の１実施形態を示している。なお、本発明は、図７のカバーの無いタイプと、図８のカバーの有るタイプの携帯型無線送信機に適用されるものである。
【００１１】
図１は、図７および図８で説明した上ケース３を示し、図（Ａ）は上ケース表側の平面図、図（Ｂ）は背面図、図（Ｃ）は図（Ａ）のＣ−Ｃ線に沿う断面図、図（Ｄ）は図（Ｃ）のＤ部拡大図である。なお、下ケースは図７および図８と同様である。
【００１２】
図１において、上ケース３の表側には矩形状の窪み部３ａが形成され、この窪み部３ａの中央には開口部３ｂが形成されている。上ケース３の裏側には開口部３ｂの外周に沿ってシール用溝３ｃが形成されると共に、開口部３ｂの対向する面の下部には一対の係止溝３ｄが形成されている。この係止溝３ｄは上ケース３の裏側に形成され表側から見えない構造になっている。
【００１３】
図２は、図７のカバーの無いタイプの携帯型無線送信機１に用いられる押しボタン４を示し、図（Ａ）は押しボタン表側の平面図、図（Ｂ）は図（Ａ）の右側面図、図（Ｃ）は図（Ａ）のＣ−Ｃ線に沿う断面図、図（Ｄ）は背面図である。
【００１４】
押しボタン４は、ゴム等の弾性材料から成形され、前記開口部３ｂと同一形状で膨出するように形成された押圧部４ａと、押圧部４ａの外周に沿って形成されたシール用突部４ｂと、押圧部４ａの裏側に形成された凹部４ｃとを備えている。
【００１５】
図３は、図８のカバーの有るタイプの携帯型無線送信機５に用いられる押しボタン４′を示し、図（Ａ）は押しボタン表側の平面図、図（Ｂ）は図（Ａ）の右側面図、図（Ｃ）は図（Ａ）のＣ−Ｃ線に沿う断面図、図（Ｄ）は背面図である。
【００１６】
押しボタン４′は、ゴム等の弾性材料から成形され、膨出するように形成された球面状の押圧部４ａと、押圧部４ａの外周に沿って形成されたシール用突部４ｂと、押圧部４ａの裏側に形成された凹部４ｃとを備えている。本例の押しボタン４′は、図２の押しボタン４と比較して、押圧部４ａが小さく周辺部４ｄとは薄肉で連結されている。
【００１７】
図４は、図８のカバーの有るタイプの携帯型無線送信機５に用いられるカバー６を示し、図（Ａ）はカバー表側の平面図、図（Ｂ）は図（Ａ）の右側面図、図（Ｃ）は図（Ａ）の下方向から見た図、図（Ｄ）は図（Ａ）のＤ−Ｄ線に沿う断面図、図（Ｅ）は背面図である。
【００１８】
カバー６は、樹脂材料で成形され、矩形状のフレーム６ａと、フレーム６ａ内に４箇所の細く薄い連結部６ｂで連結された押圧部６ｃと、フレーム６ａの裏面下方に延設された一対の係合片６ｄと、係合片６ｄの先端から水平方向外側に延設された係止爪６ｅとからなっている。係止爪６ｅ先端間の距離は開口部３ｂの長さより若干長くなるように設定している。このカバー６は、押圧部６ｃにある一定以上の力が加えられた場合に連結部６ｂが切断されるようになっており、誤って押しボタンが押されてしまうという誤操作を防止することができる。
【００１９】
図５は、図１の上ケース３に図２の押しボタン４を組み付けた状態を示し、図（Ａ）は上ケース表側の平面図、図（Ｂ）は背面図、図（Ｃ）は図（Ａ）のＣ−Ｃ線に沿う断面図、図（Ｄ）は図（Ｃ）のＤ部拡大図である。
【００２０】
上ケース３の裏側から開口部３ｂに向けて押しボタン４を押しつけると、押しボタン４の押圧部４ａが上ケース３の開口部３ｂに嵌合されて窪み部３ａに突出され、また、シール用突部４ｂがシール用溝３ｃに嵌合される。図５（Ａ）に示すように、外部からはカバー固定用の係止溝３ｄは隠れて押しボタン４の押圧部４ａのみが見え、また、押しボタン４と上ケース３はシール用突部４ｂとシール用溝３ｃによりシールされてゴミ等の侵入を防止している。
【００２１】
図６は、図１の上ケース３に図３の押しボタン４′および図４のカバー６を組み付けた状態を示し、図（Ａ）は上ケース表側の平面図、図（Ｂ）は背面図、図（Ｃ）は図（Ａ）のＣ−Ｃ線に沿う断面図、図（Ｄ）は図（Ｃ）のＤ部拡大図である。
【００２２】
上ケース３の表側から開口部３ｂに向けてカバー６を押しつけると、カバー６のフレーム６ａが窪み部３ａに嵌合され、また、２つの係止爪６ｅが開口部３ｂに入ると内側に弾性収縮し、係止爪６ｅが係止溝３ｄに達すると、係止爪６ｅが係止溝３ｄに係止され、カバー６が上ケース３に固定される。次に、上ケース３の裏側から押しボタン４′を押しつけると、押しボタン４′の押圧部４ａがカバー６の押圧部６ｃの下方に位置し、また、シール用突部４ｂがシール用溝３ｃに嵌合、固定される。
【００２３】
以上、本発明の実施の形態について説明したが、本発明はこれに限定されるものではなく種々の変更が可能である。例えば、上記実施形態においては、フレーム６ａ内に連結部６ｂで連結された押圧部６ｃを設けているが、これに限定されるものではなく、要するに、押圧部６ｃにある一定以上の力が加えられた場合にこれが破れるような構造であればよい。
【００２４】
【発明の効果】
以上の説明から明らかなように、本発明によれば、携帯型無線送信機において、押しボタンのカバーの有無にかかわらず、ケースを共用化することができ、かつ、ゴミ等の侵入や外観意匠上の問題を解決することができる。
【図面の簡単な説明】
【図１】本発明の携帯型無線送信機の１実施形態を示し、図（Ａ）は上ケース表側の平面図、図（Ｂ）は背面図、図（Ｃ）は図（Ａ）のＣ−Ｃ線に沿う断面図、図（Ｄ）は図（Ｃ）のＤ部拡大図である。
【図２】カバーの無いタイプの携帯型無線送信機に用いられる押しボタンを示し、図（Ａ）は押しボタン表側の平面図、図（Ｂ）は図（Ａ）の右側面図、図（Ｃ）は図（Ａ）のＣ−Ｃ線に沿う断面図、図（Ｄ）は背面図である。
【図３】カバーの有るタイプの携帯型無線送信機に用いられる押しボタンを示し、図（Ａ）は押しボタン表側の平面図、図（Ｂ）は図（Ａ）の右側面図、図（Ｃ）は図（Ａ）のＣ−Ｃ線に沿う断面図、図（Ｄ）は背面図である。
【図４】カバーの有るタイプの携帯型無線送信機に用いられるカバーを示し、図（Ａ）はカバー表側の平面図、図（Ｂ）は図（Ａ）の右側面図、図（Ｃ）は図（Ａ）の下方向から見た図、図（Ｄ）は図（Ａ）のＤ−Ｄ線に沿う断面図、図（Ｅ）は背面図である。
【図５】図１の上ケース３に図２の押しボタン４を組み付けた状態を示し、図（Ａ）は上ケース表側の平面図、図（Ｂ）は背面図、図（Ｃ）は図（Ａ）のＣ−Ｃ線に沿う断面図、図（Ｄ）は図（Ｃ）のＤ部拡大図である。
【図６】図１の上ケース３に図３の押しボタン４′および図４のカバー６を組み付けた状態を示し、図（Ａ）は上ケース表側の平面図、図（Ｂ）は背面図、図（Ｃ）は図（Ａ）のＣ−Ｃ線に沿う断面図、図（Ｄ）は図（Ｃ）のＤ部拡大図である。
【図７】従来の携帯型無線送信機の１例を示す斜視図である。
【図８】従来の携帯型無線送信機の他例を示す斜視図である。
【符号の説明】
１…携帯型無線送信機
２…下ケース
３…上ケース
３ｂ…開口部
３ｃ…シール用溝
３ｄ…係止溝
４、４′…押しボタン
４ａ…押圧部
４ｄ…シール用突部
６…カバー
６ａ…フレーム
６ｃ…押圧部
６ｅ…係止爪
【図１】
0003891406.tif 000002
【図２】
0003891406.tif 000003
【図３】
0003891406.tif 000004
【図４】
0003891406.tif 000005
【図５】
0003891406.tif 000006
【図６】
0003891406.tif 000007
【図７】
0003891406.tif 000008
【図８】
0003891406.tif 000009